(57)【要約】【課題】三角筒状と極めて難しい形状の袋を簡単かつ容易に、しかも安価に多量生産する。【解決手段】袋は、三角形の底面シート１と３面の側面シート２からなる。３面の側面シート２は、第１の側面シート２Ａと第２の側面シート２Ｂと第３の側面シート２Ｃからなる。第１の側面シート２Ａと第２の側面シート２Ｂの間、及び第２の側面シート２Ｂと第３の側面シート２Ｃの間の縦折曲ライン４は非切断状態として折曲自在に連結している。第３の側面シート２Ｃと第１の側面シート２Ａの間の縦折曲ライン４は、プラスチックフィルムを切断、溶着して折曲自在に連結している。底面シート１は３面のサブ三角形３からなり、３面のサブ三角形３と３面の側面シート２との境界の横折曲ライン５は非切断状態で折曲自在に連結している。３面のサブ三角形３の境界にある底溶着ライン６は、プラスチックフィルムを切断、溶着して隣のサブ三角形３を折曲自在に連結している。【選択図】図３
2014088190.tif 000002
【特許請求の範囲】
【請求項１】
三角形の底面を閉塞してなる折り畳みできる三角筒状のプラスチックフィルムからなる折り畳みできる袋であって、
三角形の底面シート(1)と、三角筒状を形成してなる互いに両側縁を折曲自在に連結してなる３面の側面シート(2)からなり、
３面の側面シート(2)は、互いに両側を縦折曲ライン(4)を介して折曲自在に連結してなる第１の側面シート(2A)と、第２の側面シート(2B)と、第３の側面シート(2C)からなり、
第１の側面シート(2A)と第２の側面シート(2B)の間の縦折曲ライン(4)はプラスチックフィルムを非切断状態として第１の側面シート(2A)と第２の側面シート(2B)とを折曲自在に連結しており、
第２の側面シート(2B)と第３の側面シート(2C)の間の縦折曲ライン(4)はプラスチックフィルムを非切断状態として第２の側面シート(2B)と第３の側面シート(2C)とを折曲自在に連結しており、
第３の側面シート(2C)と第１の側面シート(2A)の間の縦折曲ライン(4)はプラスチックフィルムを切断、溶着して第３の側面シート(2C)と第１の側面シート(2A)とを折曲自在に連結しており、
袋が平面状に折り畳まれる状態において、第１の側面シート(2A)と第３の側面シート(2C)は平面状で互いに積層され、第２の側面シート(2B)は縦方向に延びる内折ライン(7)で内折りされて、第１の側面シート(2A)と第３の側面シート(2C)の間に配設され、
さらに、三角形の底面シート(1)は、中心部を頂点とし、かつ３面の側面シート(2)との間の横折曲ライン(5)をひとつの辺とする３面のサブ三角形(3)に区画されて、
３面のサブ三角形(3)は、第１の側面シート(2A)との境界にある横折曲ライン(5)をひとつの辺とする第１のサブ三角形(3A)と、第２の側面シート(2B)との境界にある横折曲ライン(5)をひとつの辺とする第２のサブ三角形(3B)と、第３の側面シート(2C)との境界にある横折曲ライン(5)をひとつの辺とする第３のサブ三角形(3C)とからなり、
３面のサブ三角形(3)と３面の側面シート(2)との境界の横折曲ライン(5)はプラスチックフィルムを非切断状態で折曲自在に連結して、３面のサブ三角形(3)の境界にある底溶着ライン(6)はプラスチックフィルムを切断、溶着して隣のサブ三角形(3)を折曲自在に連結しており、
袋が平面状に折り畳まれる状態において、第１のサブ三角形(3A)と第１の側面シート(2A)とは同一平面にあり、第３のサブ三角形(3C)と第３の側面シート(2C)とも同一平面にあり、
第２のサブ三角形(3B)と第２の側面シート(2B)とは同一平面にあり、第２のサブ三角形(3B)と第２の側面シート(2B)は、内折ライン(7)で内折りされて、第１の側面シート(2A)及び第１のサブ三角形(3A)と、第３の側面シート(2C)及び第３のサブ三角形(3C)との間に配設され、
袋が三角筒状に開かれる状態においては、３面の側面シート(2)が三角筒状にあって、３面のサブ三角形(3)が同一平面にあって三角筒状の３面の側面シート(2)の底面を閉塞するようにしてなり、
３面の側面シート(2)と、３面のサブ三角形(3)とが連続する１枚のプラスチックフィルムからなる折り畳みできる三角筒状の袋。
【請求項２】
前記第１の側面シート(2A)と第２の側面シート(2B)と第３の側面シート(2C)の横幅（Ｗ）が等しく、サブ三角形(3)の全体形状が正三角形で、第１のサブ三角形(3A)と第２のサブ三角形(3B)と第３のサブ三角形(3C)とが二等辺三角形である請求項１に記載される１枚のプラスチックフィルムからなる折り畳みできる三角筒状の袋。
【請求項３】
前記第１の側面シート(2A)と第３の側面シート(2C)との境界にある縦折曲ライン(4)と、３面のサブ三角形(3)との境界にある底溶着ライン(6)とが、プラスチックフィルムを加熱裁断溶着して折曲自在に連結してなる請求項１又は２に記載される１枚のプラスチックフィルムからなる折り畳みできる三角筒状の袋。
【請求項４】
連続する所定の幅を有する帯状のプラスチックフィルムを、長手方向に延びる縦折曲ライン(4)で外折りして、第１の側面シート(2A)と第２の側面シート(2B)と第３の側面シート(2C)とからなる３面の側面シート(2)を積層し、かつ積層状態においては、第１の側面シート(2A)と第３の側面シート(2C)とを平面状として、第２の側面シート(2B)を中央部に縦方向に延びる内折ライン(7)で内折りして、第１の側面シート(2A)と第３の側面シート(2C)の間に配設するプラスチックフィルムの折曲工程と、
前記第１の側面シート(2A)と前記第３の側面シート(2C)との境界となる縦折曲ライン(4)を溶着する側面シート溶着工程と、
折曲工程で折曲されて、第１の側面シート(2A)と第３の側面シート(2C)との間に第２の側面シート(2B)を配置する状態に積層してなるプラスチックフィルムを、内折れしてなるプラスチックフィルムの対向面を非溶着状態として、積層されたプラスチックフィルムを、袋の底部となる一端部において中央凸の山形に溶着して、山形に突出する部分でもって、前記第１の側面シート(2A)に連結する第１のサブ三角形(3A)と、第２の側面シート(2B)に連結する第２のサブ三角形(3B)と、第３の側面シート(2C)に連結する第３のサブ三角形(3C)を設けて、第１のサブ三角形(3A)と第２のサブ三角形(3B)と第３のサブ三角形(3C)とを山形に溶着された底溶着ライン(6)で連結して、三角筒状の側面シート(2)の底面を閉塞する底面シート(1)を設ける底面シート溶着工程と、
底面シート(1)溶着工程で山形に溶着された底溶着ライン(6)の外側でプラスチックフィルムを裁断する裁断工程とからなる、１枚のプラスチックフィルムからなる折り畳みできる三角筒状の袋の製造方法。
【請求項５】
連続する所定の幅を有する帯状のプラスチックフィルムを、長手方向に延びる縦折曲ライン(4)で外折りして、第１の側面シート(2A)と第２の側面シート(2B)と第３の側面シート(2C)とからなる３面の側面シート(2)を積層し、かつ積層状態においては、第１の側面シート(2A)と第３の側面シート(2C)とを平面状として、第２の側面シート(2B)を中央部に縦方向に延びる内折ライン(7)で内折りして、第１の側面シート(2A)と第３の側面シート(2C)の間に配設するプラスチックフィルムの折曲工程と、
前記第１の側面シート(2A)と前記第３の側面シート(2C)との境界となる縦折曲ライン(4)を溶着する側面シート溶着工程と、
折曲工程で折曲されて、第１の側面シート(2A)と第３の側面シート(2C)との間に第２の側面シート(2B)を配置する状態に積層してなるプラスチックフィルムを、袋の底部となる一端部を中央凸の山形に裁断して、山形に突出する部分でもって、前記第１の側面シート(2A)に連結する第１のサブ三角形(3A)と、第２の側面シート(2B)に連結する第２のサブ三角形(3B)と、第３の側面シート(2C)に連結する第３のサブ三角形(3C)を設けて、第１のサブ三角形(3A)と第２のサブ三角形(3B)と第３のサブ三角形(3C)とで、三角筒状の側面シート(2)の底面を閉塞する底面シート(1)を設ける裁断工程と、
内折りされたプラスチックフィルムの対向面を溶着することなく、山形に裁断された裁断縁に沿って積層されたプラスチックフィルムを溶着して、第１のサブ三角形(3A)と第２のサブ三角形(3B)と第３のサブ三角形(3C)とを裁断縁で溶着された底溶着ライン(6)で連結して、三角筒状の側面シート(2)の底面を閉塞する底面シート(1)を設ける底面シート溶着工程とからなる、１枚のプラスチックフィルムからなる折り畳みできる三角筒状の袋の製造方法。
【請求項６】
前記底面シート溶着工程と裁断工程とを１工程として、積層されたプラスチックフィルムを溶着して裁断する請求項４又は５に記載される１枚のプラスチックフィルムからなる折り畳みできる三角筒状の袋の製造方法。
【請求項７】
内折りされたプラスチックフィルムの対向面に非溶着糊層を設けて、内折りされたプラスチックフィルムを非溶着状態する請求項４ないし６のいずれかに記載される１枚のプラスチックフィルムからなる折り畳みできる三角筒状の袋の製造方法。
【発明の詳細な説明】
【技術分野】
【０００１】
本発明は、三角筒状で底面を三角形の底面シート１で閉塞している１枚のプラスチックフィルムからなる折り畳みできる三角筒状の袋とその製造方法に関する。
【背景技術】
【０００２】
三角筒状の袋は、通常の袋では収納できない状態で物を収納できる。たとえば、果物などを、図１に示すように、三角形の頂点に配置して、押し合わないように無理なく収納できる特徴がある。このため、部分的に強く押されると損傷しやすい果物９０、たとえば、桃やリンゴ等を、部分的に強く押すことなく、すなわち損傷を少なくして収納できる特徴がある。この特徴を生かすために、三角筒状の袋が開発されている。（特許文献１参照）
【先行技術文献】
【特許文献】
【０００３】
【特許文献１】特開平６−１２２４５７号公報
【発明の概要】
【発明が解決しようとする課題】
【０００４】
特許文献１の袋は、図２に示すように、３枚のシート９２をその両側縁９４で溶着して三角筒状の袋としている。この袋は、３枚のシート９２を正確に位置合わせして、その両側を溶着するので、製造に手間がかかり、能率よく安価に多量生産できない欠点がある。とくに、プラスチックフィルムを３枚のシート９２に裁断し、これを正確に重ね合わせて側縁９４を溶着する方法は、重ねたプラスチックフィルムの位置ずれを防止しながら、正確に溶着するのに極めて手間がかかる欠点がある。
【０００５】
本発明は、以上の欠点を解決することを目的に開発されたものである。本発明の重要な目的は、三角筒状と極めて難しい形状とする袋を簡単かつ容易に、しかも安価に多量生産できる１枚のプラスチックフィルムからなる折り畳みできる三角筒状の袋とその製造方法を提供することにある。
【課題を解決するための手段及び発明の効果】
【０００６】
本発明の１枚のプラスチックフィルムからなる折り畳みできる三角筒状の袋は、三角形の底面を閉塞してなる折り畳みできる三角筒状のプラスチックフィルムからなる折り畳みできる袋であって、三角形の底面シート１と、三角筒状を形成してなる互いに両側縁を折曲自在に連結してなる３面の側面シート２からなる。３面の側面シート２は、互いに両側を縦折曲ライン４を介して折曲自在に連結してなる第１の側面シート２Ａと、第２の側面シート２Ｂと、第３の側面シート２Ｃからなる。第１の側面シート２Ａと第２の側面シート２Ｂの間の縦折曲ライン４はプラスチックフィルムを非切断状態として第１の側面シート２Ａと第２の側面シート２Ｂとを折曲自在に連結している。第２の側面シート２Ｂと第３の側面シート２Ｃの間の縦折曲ライン４はプラスチックフィルムを非切断状態として第２の側面シート２Ｂと第３の側面シート２Ｃとを折曲自在に連結している。第３の側面シート２Ｃと第１の側面シート２Ａの間の縦折曲ライン４はプラスチックフィルムを切断、溶着して第３の側面シート２Ｃと第１の側面シート２Ａとを折曲自在に連結している。三角筒状の袋は、平面状に折り畳まれる状態において、第１の側面シート２Ａと第３の側面シート２Ｃが平面状で互いに積層されて、第２の側面シート２Ｂは縦方向に延びる内折ライン７で内折りされて、第１の側面シート２Ａと第３の側面シート２Ｃの間に配設される。さらに、三角形の底面シート１は、中心部を頂点とし、かつ３面の側面シート２との間の横折曲ライン５をひとつの辺とする３面のサブ三角形３に区画されている。３面のサブ三角形３は、第１の側面シート２Ａとの境界にある横折曲ライン５をひとつの辺とする第１のサブ三角形３Ａと、第２の側面シート２Ｂとの境界にある横折曲ライン５をひとつの辺とする第２のサブ三角形３Ｂと、第３の側面シート２Ｃとの境界にある横折曲ライン５をひとつの辺とする第３のサブ三角形３Ｃとからなる。３面のサブ三角形３と３面の側面シート２との境界の横折曲ライン５は、プラスチックフィルムを非切断状態で折曲自在に連結している。３面のサブ三角形３の境界にある底溶着ライン６は、プラスチックフィルムを切断、溶着して隣のサブ三角形３を折曲自在に連結している。三角筒状の袋は、平面状に折り畳まれる状態において、第１のサブ三角形３Ａと第１の側面シート２Ａとが同一平面にあり、第３のサブ三角形３Ｃと第３の側面シート２Ｃとが同一平面にあり、第２のサブ三角形３Ｂと第２の側面シート２Ｂとが同一平面にあり、第２のサブ三角形３Ｂと第２の側面シート２Ｂは、内折ライン７で内折りされて、第１の側面シート２Ａ及び第１のサブ三角形３Ａと、第３の側面シート２Ｃ及び第３のサブ三角形３Ｃとの間に配設されている。袋が三角筒状に開かれる状態においては、３面の側面シート２が三角筒状にあって、３面のサブ三角形３が同一平面にあって三角筒状の３面の側面シート２の底面を閉塞するようにしており、３面の側面シート２と、３面のサブ三角形３とを連続する１枚のプラスチックフィルムで成形している。
【０００７】
以上の袋は、底を閉塞する三角筒状と極めて難しい形状としながら、簡単かつ容易に、しかも安価に多量生産できる特徴がある。それは、従来のように、裁断して切り離された３枚のシートを正確に重ね合わせて溶着することなく、１枚のプラスチックフィルムを折り加工する状態で裁断、溶着することで、複雑で難しい形状である折り畳みできる三角筒状の袋を製造できるからである。
【０００８】
本発明の三角筒状の袋は、第１の側面シート２Ａと第２の側面シート２Ｂと第３の側面シート２Ｃの横幅（Ｗ）を等しくし、サブ三角形３の全体形状を正三角形として、第１のサブ三角形３Ａと第２のサブ三角形３Ｂと第３のサブ三角形３Ｃとを二等辺三角形とすることができる。
【０００９】
本発明の三角筒状の袋は、第１の側面シート２Ａと第３の側面シート２Ｃとの境界にある縦折曲ライン４と、３面のサブ三角形３との境界にある底溶着ライン６とを、プラスチックフィルムを加熱裁断溶着して折曲自在に連結することができる。
この折り畳みできる三角筒状の袋は、折り畳み状態でプラスチックフィルムを加熱して、裁断すると同時に溶着できるので、より能率よく安価に多量生産できる特徴がある。
【００１０】
本発明の１枚のプラスチックフィルムからなる折り畳みできる三角筒状の袋の製造方法は、連続する所定の幅を有する帯状のプラスチックフィルムを、長手方向に延びる縦折曲ライン４で外折りして、第１の側面シート２Ａと第２の側面シート２Ｂと第３の側面シート２Ｃとからなる３面の側面シート２を積層し、かつ積層状態においては、第１の側面シート２Ａと第３の側面シート２Ｃとを平面状として、第２の側面シート２Ｂを中央部に縦方向に延びる内折ライン７で内折りして、第１の側面シート２Ａと第３の側面シート２Ｃの間に配設するプラスチックフィルムの折曲工程と、第１の側面シート２Ａと第３の側面シート２Ｃとの境界となる縦折曲ライン４を溶着する側面シート溶着工程と、折曲工程で折曲されて、第１の側面シート２Ａと第３の側面シート２Ｃとの間に第２の側面シート２Ｂを配置する状態に積層してなるプラスチックフィルムを、内折れしてなるプラスチックフィルムの対向面を非溶着状態として、積層されたプラスチックフィルムを、袋の底部となる一端部において中央凸の山形に溶着して、山形に突出する部分でもって、第１の側面シート２Ａに連結する第１のサブ三角形３Ａと、第２の側面シート２Ｂに連結する第２のサブ三角形３Ｂと、第３の側面シート２Ｃに連結する第３のサブ三角形３Ｃを設けて、第１のサブ三角形３Ａと第２のサブ三角形３Ｂと第３のサブ三角形３Ｃとを山形に溶着された底溶着ライン６で連結して、三角筒状の側面シート２の底面を閉塞する底面シート１を設ける底面シート溶着工程と、底面シート溶着工程で山形に溶着された底溶着ライン６の外側でプラスチックフィルムを裁断する裁断工程とからなる。
【００１１】
以上の袋の製造方法は、底を閉塞する三角筒状と極めて難しい形状としながら、簡単かつ容易に、しかも安価に多量生産できる特徴がある。それは、従来のように、裁断して切り離された３枚のシートを正確に重ね合わせて溶着することなく、１枚のプラスチックフィルムを折り加工する状態で裁断、溶着することで、複雑で難しい形状である折り畳みできる三角筒状の袋を製造できるからである。
【００１２】
本発明の１枚のプラスチックフィルムからなる折り畳みできる三角筒状の袋の製造方法は、連続する所定の幅を有する帯状のプラスチックフィルムを、長手方向に延びる縦折曲ライン４で外折りして、第１の側面シート２Ａと第２の側面シート２Ｂと第３の側面シート２Ｃとからなる３面の側面シート２を積層し、かつ積層状態においては、第１の側面シート２Ａと第３の側面シート２Ｃとを平面状として、第２の側面シート２Ｂを中央部に縦方向に延びる内折ライン７で内折りして、第１の側面シート２Ａと第３の側面シート２Ｃの間に配設するプラスチックフィルムの折曲工程と、第１の側面シート２Ａと第３の側面シート２Ｃとの境界となる縦折曲ライン４を溶着する側面シート溶着工程と、折曲工程で折曲されて、第１の側面シート２Ａと第３の側面シート２Ｃとの間に第２の側面シート２Ｂを配置する状態に積層してなるプラスチックフィルムを、袋の底部となる一端部を中央凸の山形に裁断して、山形に突出する部分でもって、第１の側面シート２Ａに連結する第１のサブ三角形３Ａと、第２の側面シート２Ｂに連結する第２のサブ三角形３Ｂと、第３の側面シート２Ｃに連結する第３のサブ三角形３Ｃを設けて、第１のサブ三角形３Ａと第２のサブ三角形３Ｂと第３のサブ三角形３Ｃとで、三角筒状の側面シート２の底面を閉塞する底面シート１を設ける裁断工程と、内折りされたプラスチックフィルムの対向面を溶着することなく、山形に裁断された裁断縁９に沿って積層されたプラスチックフィルムを溶着して、第１のサブ三角形３Ａと第２のサブ三角形３Ｂと第３のサブ三角形３Ｃとを裁断縁９で溶着された底溶着ライン６で連結して、三角筒状の側面シート２の底面を閉塞する底面シート１を設ける底面シート溶着工程とからなる。
【００１３】
以上の袋の製造方法も、底を閉塞する三角筒状と極めて難しい形状としながら、簡単かつ容易に、しかも安価に多量生産できる特徴がある。それは、従来のように、裁断して切り離された３枚のシートを正確に重ね合わせて溶着することなく、１枚のプラスチックフィルムを折り加工する状態で裁断、溶着することで、複雑で難しい形状である折り畳みできる三角筒状の袋を製造できるからである。
【００１４】
本発明の三角筒状の袋の製造方法は、底面シート溶着工程と裁断工程とを１工程として、積層されたプラスチックフィルムを溶着して裁断することができる。
【００１５】
本発明の三角筒状の袋の製造方法は、内折りされたプラスチックフィルムの対向面に非溶着糊層を設けて、内折りされたプラスチックフィルムを非溶着状態とすることができる。
【図面の簡単な説明】
【００１６】
【図１】三角筒状の袋の使用例を示す斜視図である。
【図２】従来の三角筒状の袋を示す斜視図である。
【図３】本発明の一実施の形態にかかる三角筒状の袋を示す斜視図である。
【図４】図３に示す三角筒状の袋を折り畳む状態を示す斜視図である。
【図５】図３に示す三角筒状の袋を平面状に折り畳んだ状態を示す平面図である。
【図６】図３に示す三角筒状の袋を平面状に折り畳む状態を示す横断面図である。
【図７】図３に示す三角筒状の袋を平面状に折り畳む状態の他の一例を示す横断面図である。
【図８】本発明の一実施の形態にかかる三角筒状の袋の製造方法を示す平面図である。
【発明を実施するための形態】
【００１７】
以下、本発明の実施例を図面に基づいて説明する。ただし、以下に示す実施例は、本発明の技術思想を具体化するための折り畳みできる三角筒状の袋とその製造方法を例示するものであって、本発明は三角筒状の袋とその製造方法を以下の構造、方法、材料には特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図３ないし図５に示す折り畳みできる三角筒状の袋は、底を三角形の底面シート１で閉塞している。この三角筒状の袋は、プラスチックフィルムを折り加工し、裁断し、溶着して製造される。図３ないし図５において、太線はプラスチックフィルムを裁断して溶着している部分を示している。袋のプラスチックフィルムは、加熱して溶着できる熱可塑性のプラスチックフィルムである。ただ、プラスチックフィルムは、溶着される袋の内面、あるいは内面の溶着部分を熱可塑性樹脂層とする、単層又は複数層のラミネートフィルムとすることもできる。プラスチックフィルムは、ポリオレフィン系樹脂フィルム、たとえば、ポリエチレンフィルム、ポリプロピレンフィルム、二軸延伸ポリプロピレンフィルム（ＯＰＰフィルム）等が使用できる。ＯＰＰフィルムの袋は、薄くて優れた強度にでき、また優れた耐熱性も実現する。
【００１９】
図の袋は、三角形の底面シート１と、三角筒状を形成する３面の側面シート２からなる。３面の側面シート２は、縦方向に延びる両側の縦折曲ライン４を介して折曲自在に連結している。３面の側面シート２は、縦折曲ライン４で互いに折曲できるように連結している、第１の側面シート２Ａと、第２の側面シート２Ｂと、第３の側面シート２Ｃからなる。第１の側面シート２Ａと第２の側面シート２Ｂはプラスチックフィルムを縦折曲ライン４で切断することなく、すなわち縦折曲ライン４を非切断状態として折曲自在に連結している。第２の側面シート２Ｂと第３の側面シート２Ｃも縦折曲ライン４でプラスチックフィルムを切断することなく折曲できるように連結している。第３の側面シート２Ｃと第１の側面シート２Ａは、縦折曲ライン４でプラスチックフィルムを切断・溶着して、折曲できるように連結している。
【００２０】
袋が平面状に折り畳まれる状態においては、図４と図５に示すように、第１の側面シート２Ａと第３の側面シート２Ｃとの間に、第２の側面シート２Ｂを内折りして折り畳み、第１の側面シート２Ａと第３の側面シート２Ｃとで、内折ライン７で内折れした第２の側面シート２Ｂを挟んでシート状とする。袋がシート状に折り畳まれる状態では、図６の横断面形状に示すように、第１の側面シート２Ａと第３の側面シート２Ｃは平面状、第２の側面シート２Ｂは、中央に縦方向に延びる内折ライン７で内折りされて、第１の側面シート２Ａと第３の側面シート２Ｃの間に挟まれる。袋を広げる状態では、図６の鎖線で示すように、第１の側面シート２Ａと第２の側面シート２Ｂと第３の側面シート２Ｃとを平面状として、三角筒状に広げられる。図に示す袋は、第１の側面シート２Ａと第２の側面シート２Ｂと第３の側面シート２Ｃの横幅（Ｗ）を等しくしており、底面シート１を正三角形状としている。底面シート１を正三角形とする袋は、側面シート２を正三角筒状として、３面の側面シート２の縦折曲ライン４を互いに６０度に折曲された状態とする。ただし、本発明は、袋の底面シートを必ずしも正三角形には特定しない。袋は、図示しないが、第１の側面シートと第３の側面シートの横幅（Ｗ）を等しくして、底面シートを二等辺三角形状とすることもできる。
【００２１】
三角筒状に広げられた袋は、３面の側面シート２の下端縁を、三角形の底面シート１で閉塞している。袋を三角筒状に広げると、底面シート１は平面状に広げられる。この底面シート１は、図３の斜視図に示すように、中心部を頂点とし、かつ３面の側面シート２との境界にある横折曲ライン５をひとつの辺とし、両側の底溶着ライン６を２辺とする３面のサブ三角形３に区画される。３面のサブ三角形３は、第１の側面シート２Ａとの境界にある直線状の横折曲ライン５をひとつの辺とする第１のサブ三角形３Ａと、第２の側面シート２Ｂとの境界にある直線状の横折曲ライン５をひとつの辺とする第２のサブ三角形３Ｂと、第３の側面シート２Ｃとの境界にある直線状の横折曲ライン５をひとつの辺とする第３のサブ三角形３Ｃとからなる。図に示す底面シート１は、３面のサブ三角形３を平面状とする状態で全体形状が正三角形となるようにしており、第１のサブ三角形３Ａと第２のサブ三角形３Ｂと第３のサブ三角形３Ｃとを二等辺三角形としている。この袋は、三角筒状に広げる状態で、図３に示すように、横折曲ライン５が９０度に折曲された状態となり、底溶着ライン６が平面状に広げられた状態となる。袋をシート状に折り畳む状態では、底溶着ライン６はＵ曲するように折り返された状態となり、横折曲ライン５は平面状に広げられた状態となる。
【００２２】
３面のサブ三角形３と３面の側面シート２は、その境界に位置する直線状の横折曲ライン５において、プラスチックフィルムを切断することなく、すなわち非切断状態であって折曲できるように連結している。３面のサブ三角形３の境界にある底溶着ライン６は、プラスチックフィルムを裁断、溶着し、折曲できる状態で連結している。
【００２３】
袋を平面状に折り畳む状態では、図５に示すように、全ての横折曲ライン５は折曲されず、第１のサブ三角形３Ａと第１の側面シート２Ａとは同一平面にあり、第３のサブ三角形３Ｃと第３の側面シート２Ｃとも同一平面にあり、第２のサブ三角形３Ｂは、第２の側面シート２Ｂと同一平面にある。この状態で、第２の側面シート２Ｂは内折ライン７で内折りされて、第１の側面シート２Ａと第３の側面シート２Ｃとの間に挟まれるので、第２のサブ三角形３Ｂも、第２の側面シート２Ｂの内折ライン７に連続する内折ライン７’で内折りされて、第１のサブ三角形３Ａと第３のサブ三角形３Ｃとの間に挟まれる。
【００２４】
図６の横断面形状で示すように、第２の側面シート２Ｂを内折ライン７で内折りして、平面状の第１の側面シート２Ａと第３の側面シート２Ｃとで挟むように折り畳みできる袋は、図７の断面図に示すように、第１の側面シート２Ａを内折ライン７で内折りして、平面状の第２の側面シート２Ｂと第３の側面シート２Ｃとで挟むように折り畳みでき、また、図示しないが、第３の側面シートを内折ラインで内折りして、平面状の第１の側面シートと第２の側面シートとで挟むようにして折り畳むこともできる。したがって、本発明の折り畳みできる三角筒状の袋は、第２の側面シートを内折ラインで折り畳みして、平面状の第１の側面シートと第３の側面シートとで挟むことができる全ての袋を含むものとする。
【００２５】
以上の折り畳みできる三角筒状の袋は、以下の工程で製造される。
［折曲工程］
図８に示すように、連続する所定の幅を有する帯状のプラスチックフィルムを、長手方向に延びる縦折曲ライン４で外折りして、第１の側面シート２Ａと第２の側面シート２Ｂと第３の側面シート２Ｃとからなる３面の側面シート２からなる３面の側面シート２を積層する状態とし、さらに、積層状態においては、第１の側面シート２Ａと第３の側面シート２Ｃとを平面状として、第２の側面シート２Ｂを中央部に縦方向に延びる内折ライン７で内折りして、第１の側面シート２Ａと第３の側面シート２Ｃの間に配設する。
【００２６】
［側面シート溶着工程］
折曲工程で折曲されたプラスチックフィルムを、第１の側面シート２Ａと第３の側面シート２Ｃとの境界にある縦折曲ライン４（図８において太線で示す）を加熱して溶着する。プラスチックフィルムは、第１の側面シート２Ａと第３の側面シート２Ｃとの境界にある縦折曲ライン４において溶着して連結されて、第１の側面シート２Ａと第２の側面シート２Ｂと第３の側面シート２Ｃとで三角筒状に連結される。この工程で溶着した縦折曲ライン４の外側を裁断する。ただし、溶着された縦折曲ライン４の外側を裁断することなく、プラスチックフィルムの両側縁を正確に重ねて溶着することもできる。
【００２７】
［底面シート溶着工程］
折曲工程で折曲されて、第１の側面シート２Ａと第３の側面シート２Ｃとの間に第２の側面シート２Ｂを配置する状態に積層してなるプラスチックフィルムを、袋の底部となる一端部を、図８の太線鎖線で示すように、中央凸の山形に溶着する。この溶着工程において、内折れしているプラスチックフィルムの対向面を非溶着状態とする。対向面を非溶着状態とするには、たとえば、溶着される対向面に、加熱して溶着されない非溶着糊を塗布して非溶着糊層を設ける。また、対向面に溶着されない紙等のシートを挟んで非溶着状態とすることもできる。プラスチックフィルムは、山形に突出する部分でもって、第１の側面シート２Ａに連結する第１のサブ三角形３Ａと、第２の側面シート２Ｂに連結する第２のサブ三角形３Ｂと、第３の側面シート２Ｃに連結する第３のサブ三角形３Ｃを設けて、第１のサブ三角形３Ａと第２のサブ三角形３Ｂと第３のサブ三角形３Ｃとを溶着された底溶着ライン６で折曲できるように連結して、三角筒状の側面シート２の底面を閉塞する底面シート１を設ける。
【００２８】
［裁断工程］
底面シート溶着工程で山形に溶着された底溶着ライン６の外側で、プラスチックフィルムを裁断し、裁断片８（図においてクロスハッチングで表示）を除去する。
【００２９】
以上の方法は、積層されたプラスチックフィルムを山形に溶着した後、溶着されたプラスチックフィルムを溶着された外側で裁断して、折り畳みできる三角筒状の袋を製造するが、本発明は底面シート溶着工程と裁断工程とを１工程として、積層されたプラスチックフィルムを加熱溶着して同時に裁断することもできる。
【００３０】
また、本発明の製造方法は、積層されたプラスチックフィルムを山形に裁断した後、裁断縁に沿って溶着して折り畳みできる三角筒状の袋を製造することもできる。この方法は、以下の工程で袋を製造する。
【００３１】
［折曲工程と側面シート溶着工程］
この工程は、前述の方法と同じ工程とする。
【００３２】
［裁断工程］
折曲工程で折曲されて、第１の側面シート２Ａと第３の側面シート２Ｃとの間に第２の側面シート２Ｂを配置する状態に積層してなるプラスチックフィルムを、袋の底部となる一端部を、図８の太線鎖線で示すように、中央凸の山形に裁断し、裁断片８（図においてクロスハッチングで表示）を除去する。プラスチックフィルムは、山形に突出する部分でもって、第１の側面シート２Ａに連結する第１のサブ三角形３Ａと、第２の側面シート２Ｂに連結する第２のサブ三角形３Ｂと、第３の側面シート２Ｃに連結する第３のサブ三角形３Ｃを設けて、第１のサブ三角形３Ａと第２のサブ三角形３Ｂと第３のサブ三角形３Ｃとで、三角筒状の側面シート２の底面を閉塞する底面シート１を設ける。
【００３３】
［底面シート溶着工程］
図８の太線鎖線で示す裁断縁９を溶着して、第１のサブ三角形３Ａと第２のサブ三角形３Ｂと第３のサブ三角形３Ｃとを底溶着ライン６で連結して三角形の側面シート２とする。ただし、この工程において、内折りされた第２のサブ三角形３Ｂの対向面は、非溶着糊層などを設けて溶着しない状態とする。
【００３４】
以上の方法は、積層されたプラスチックフィルムを山形に裁断した後、裁断されたプラスチックフィルムを裁断縁９に沿って溶着して、折り畳みできる三角筒状の袋を製造するが、本発明は、側面シート溶着工程と裁断工程と底面シート溶着工程とを１工程として、積層されたプラスチックフィルムを加熱溶着して同時に裁断することもできる。
【００３５】
さらにまた、以上の製造方法は、側面シート溶着工程においてプラスチックフィルムを縦折曲ラインで溶着し、その後、底面シート溶着工程で底溶着ラインを溶着するが、底面シート溶着工程で底溶着ラインを溶着し、その後、側面シート溶着工程で縦折曲ラインを溶着することもできる。すなわち、底面シート溶着工程の後、側面シート溶着工程とすることもできる。
【００３６】
なお、本発明においては、プラスチックフィルムを溶着する方法や手段、溶着部分の幅等については特に限定しない。すなわち、プラスチックフィルムを溶着する方法や手段として、現在すでに採用され、あるいは今後採用されるすべての方法や手段を用いることができる。また、溶着部分の幅についても、用途や目的に応じて適宜変更することができる。具体的には、側面シート溶着工程で溶着される縦折曲ラインや、底面シート溶着工程で溶着される底溶着ラインの溶着部については、線状に溶着することも、幅のある帯状に溶着することもできる。線状に溶着される溶着部は、積層されたプラスチックフィルムを縦折曲ラインや底溶着ラインにおいて、ライン状に熱溶融させて互いに連結する。このような線状の溶着部は、たとえば、溶着部分の幅を２ｍｍ以下として、溶着部を目立たなくして美しい外観にできる。これに対して、幅のある帯状に溶着される溶着部は、積層されたプラスチックフィルムを縦折曲ラインや底溶着ラインに沿って面状にシール溶着して互いに連結する。このような帯状の溶着部は、たとえば、溶着部分の幅を２ｍｍ〜２ｃｍ、好ましくは３ｍｍ〜１ｃｍとして、溶着部を補強してこの部分の剥離や破損を確実に防止できる。ただ、帯状の溶着部は、袋の外側に突出すると外観が悪くなるので、溶着部を一方に折りたたんで側面シートや底面シートに沿って積層することで目立たなくできる。
【産業上の利用可能性】
【００３７】
本発明の折り畳みできる三角筒状の袋は、果物等の球体などを収納に便利に使用できる。
【符号の説明】
【００３８】
１…底面シート
２…側面シート                    ２Ａ…第１の側面シート
２Ｂ…第２の側面シート
２Ｃ…第３の側面シート
３…サブ三角形                    ３Ａ…第１のサブ三角形
３Ｂ…第２のサブ三角形
３Ｃ…第３のサブ三角形
４…縦折曲ライン
５…横折曲ライン
６…底溶着ライン
７…内折ライン                    ７’…内折ライン
８…裁断片
９…裁断縁
９０…果実
９２…シート
９４…側縁
【図１】
2014088190.tif 000003
【図２】
2014088190.tif 000004
【図３】
2014088190.tif 000005
【図４】
2014088190.tif 000006
【図５】
2014088190.tif 000007
【図６】
2014088190.tif 000008
【図７】
2014088190.tif 000009
【図８】
2014088190.tif 000010